(57)【要約】【課題】  音声や音楽がこもらずに明快に大きく聴こえると共に、ステレオスピーカの場合はスピーカ間隔を広く取ることで、十分な音の広がりが得られる携帯電話機を提供することを目的とする。【解決手段】  携帯電話機１は、操作部筐体１ｂに対して回動するスピーカ装着ケース３を備えている。スピーカ装着ケース３は、ヒンジ４を介して操作部筐体１ｂに接続されている。スピーカ５が装着されたスピーカ装着ケース３は、操作部筐体１ｂ背面に設けられた収納部に収納可能である。また、スピーカ５表面が使用者に正対する位置に来るまで、スピーカ装着ケース３を回動可能である。【選択図】      図１
2006254348.tif 000002
【特許請求の範囲】
【請求項１】
筐体と、
スピーカを装着したケースと、
前記ケースを、前記筐体に対して回動自在に接続する回転機構とを備えることを特徴とする携帯電話機。
【請求項２】
前記ケースは、前記筐体の背面に設けた収納部に収納されることを特徴とする請求項１記載の携帯電話機。
【請求項３】
前記ケースは、前記筐体から外側へせり出し、前記スピーカの表面が操作者と正対する位置まで回動可能であることを特徴とする請求項１または請求項２記載の携帯電話機。
【請求項４】
前記筐体は、
表示部を備える表示部筐体と、
前記表示部筐体に接続され、操作部を備える操作部筐体とを有することを特徴とする請求項１から請求項３のうちのいずれか１項記載の携帯電話機。
【発明の詳細な説明】
【技術分野】
【０００１】
この発明は、携帯電話機に関するものであリ、特に、スピーカを搭載した携帯電話機に関するものである。
【背景技術】
【０００２】
従来、ステレオスピーカを搭載した携帯電話機においては、表示部筐体内部に第１スピーカ部と第２スピーカ部とが並列に収容され、第１スピーカ部から発生する音と第２スピーカ部から発生する音を、外部に向かって互いに離間する２方向に放射するための第１放音孔と第２放音孔とが表示部筐体の両側部に設けられている。表示部筐体の内部には、第１スピーカ部から発生する音を第１放音孔方向へ反射させて案内する第１案内部と、第２スピーカ部から発生する音を第２放音孔方向へ反射させて案内する第２案内部が設けられている。
【０００３】
また、筐体内部には、第１スピーカ部と第２スピーカ部との間に隔壁が設けられている。そして、操作部を前面側に備える操作部筐体と、表示部を前面側に備える表示部筐体をそれぞれの前面側が合わされるようにヒンジを介して折り畳み可能に構成されている。（例えば、特許文献１参照）。
【０００４】
【特許文献１】特開２００３−１５２８３７号公報（図１〜７）
【発明の開示】
【発明が解決しようとする課題】
【０００５】
従来の携帯電話機は、以上のように構成されていたので、スピーカから放射される音を表示部筐体の放音孔方向へ導くために案内部を設け、ここで一旦音を反射させなければならなかった。その結果、音が反射する過程で音の減衰が生じ、音圧が低下して音声や音楽がこもりがちとなり、明快に聞こえ難いという課題があった。
また、ステレオスピーカを備える携帯電話機の場合には、２個のスピーカが並んで表示部筐体内部に収容されるために、スピーカ同士の間隔が狭く、音の広がりを十分に得難いという課題があった。
【０００６】
この発明は上記のような課題を解消するためになされたもので、音声や音楽がこもらずに明快に大きく聴こえると共に、ステレオスピーカの場合は、スピーカ間隔を広く取ることで、十分な音の広がりが得られる携帯電話機を提供することを目的とする。
【課題を解決するための手段】
【０００７】
この発明に係る携帯電話機は、操作部筐体または表示部筐体に対して回動するスピーカを装着したケースを備えている。スピーカを装着したケースは、ヒンジ等の回転機構を介して操作部筐体または表示部筐体に接続されている。
【発明の効果】
【０００８】
この発明によれば、携帯電話機の操作者正面に対して音の放射が可能になるので、音声や音楽がこもらずに明快に大きく聴こえると共に、ステレオスピーカの場合はスピーカ間隔を広く取れるので、十分な音の広がりが得られる効果がある。
【発明を実施するための最良の形態】
【０００９】
実施の形態１．
以下、この発明の実施の形態１について説明する。図１は、実施の形態１に係る携帯電話機の概観図であり、図１（ａ）は正面図、図１（ｂ）は側面図、図１（ｃ）は背面図、図１（ｄ）は、スピーカ装着ケースが操作部筐体の外側へせり出した時の正面図である。図１において、携帯電話機１は、液晶等の表示部を備える表示部筐体１ａと、操作キー等の操作部を備える操作部筐体１ｂを有する。表示部筐体１ａと操作部筐体１ｂはヒンジ２を介して相互に回動自在に接続され、必要に応じて折り畳むことが出来る。
【００１０】
操作部筐体１ｂの背面には、一対の四角形状のスピーカ装着ケース３がヒンジ４を介して、操作部筐体１ｂに対して回動自在に接続されている。また、スピーカ装着ケース３には、円形状のスピーカ５が装着されている。スピーカ装着ケース３は、未使用時には、操作部筐体１ｂの背面に設けられた略同形状の収納部に収納されている。携帯電話機１使用時には、スピーカ装着ケース３を操作部筐体１ｂから外側へせり出し、操作部筐体１ｂと同一平面上に対して、任意の角度に回動させる事が可能である。スピーカ５は表面に複数設けられた放音孔６を通じて、音声や音楽を放射する。図１において、一対のスピーカ装着ケース３は、操作部筐体１ｂの背面に並列に収納されるが、相互に上下に位置をずらして収納する構成としてもよい。
【００１１】
次に、携帯電話機１を使用する場合の動作について説明する。携帯電話機１の表示部筐体１ａと操作部筐体１ｂを相互に回動させ、両者の開度をヒンジ２を中心に９０〜１８０度程度までする。また、スピーカ装着ケース３を操作部筐体１ｂ裏面から離間し、ヒンジ４を中心として、スピーカ５表面が操作部筐体１ｂ表面の略水平面上に位置するように回動する。この状態で使用すると、スピーカ５表面が携帯電話機１の使用者と略正対する位置に存在する。
【００１２】
以上のように、この実施の形態１によれば、ＴＶ電話等で相手側とハンズフリーで会話したい場合は、スピーカ装着ケース３を操作部筐体１ｂから外側へせり出させることで、携帯電話機の操作者に対して正面に音を放射することが可能となる。従って、音声や音楽がこもらずに明快に大きく聴こえると共に、ステレオスピーカの場合はスピーカ間隔を広く取れるので、十分な音の広がりが得られる効果がある。
【００１３】
実施の形態２．
以下、この発明の実施の形態２について説明する。図２は、実施の形態２に係る携帯電話機の概観図であり、図２（ａ）は正面図、図２（ｂ）は側面図、図２（ｃ）は背面図、図２（ｄ）は、スピーカ装着ケースを表示部筐体の外側へせり出した時の正面図である。図２において、実施の形態２は、実施の形態１で操作部筐体１ｂに備えていたスピーカ装着ケース３を、ヒンジ４を介して表示部筐体１ａに接続したものである。スピーカ装着ケース３は、未使用時には、表示部筐体１ａの背面に設けられた略同形状の収納部に収納されている。その他の構成は実施の形態１と同様であるので説明を省略する。
【００１４】
以上のように、この実施の形態２によれば、ＴＶ電話等で相手側とハンズフリーで会話したい場合は、スピーカ装着ケース３を表示部筐体１ａから外側へせり出させることで、携帯電話機の操作者に対して正面に音を放射することが可能となる。従って、音声や音楽がこもらずに明快に大きく聴こえると共に、ステレオスピーカの場合はスピーカ間隔を広く取れるので、十分な音の広がりが得られる効果がある。
【００１５】
実施の形態３．
以下、この発明の実施の形態３について説明する。図３は、実施の形態３に係る携帯電話機の概観図であり、図３（ａ）は正面図、図３（ｂ）は側面図、図３（ｃ）は背面図、図３（ｄ）は、スピーカ装着ケースを操作部筐体の外側へせり出した時の正面図である。図３において、実施の形態３は、実施の形態１で四角形状であったスピーカ装着ケース３を半円形状とし、スピーカ５も円形状から楕円形状にしたものである。スピーカ装着ケース３は、未使用時には、操作部筐体１ｂの背面に設けられた略同形状の収納部に収納されている。
【００１６】
また、ヒンジ４は、操作部筐体１ｂの操作面に対して垂直方向に設けられている。従って、実施の形態３に係る携帯電話機１では、スピーカ装着ケース３が、操作部筐体１ｂと同一平面上のまま、ヒンジ４を中心として、図３（ｃ）の矢印方向に回動する。その他の構成は実施の形態１と同様であるので説明を省略する。
【００１７】
以上のように、この実施の形態３によれば、ＴＶ電話等で相手側とハンズフリーで会話したい場合は、スピーカ装着ケース３を操作部筐体１ｂから外側へせり出させることで、携帯電話機１の操作者に対して正面に音を放射することが可能となる。従って、音声や音楽がこもらずに明快に大きく聴こえると共に、ステレオスピーカの場合はスピーカ間隔を広く取れるので、十分な音の広がりが得られる効果がある。
【００１８】
実施の形態４．
以下、この発明の実施の形態４について説明する。図４は、実施の形態４に係る携帯電話機の概観図であり、図４（ａ）は正面図、図４（ｂ）は側面図、図４（ｃ）は背面図、図４（ｄ）は、スピーカ装着ケースが表示部筐体の外側へせり出した時の正面図である。図４において、実施の形態４は、実施の形態２で四角形状であったスピーカ装着ケース３を半円形状とし、スピーカ５も円形状から楕円形状にしたものである。未使用時のスピーカ装着ケース３は、表示部筐体１ａの背面に設けられた、スピーカ装着ケース３と略同形状の収納部に収納されている。
【００１９】
また、ヒンジ４は、表示部筐体１ａの表示面に対して垂直方向に設けられている。従って、実施の形態４に係る携帯電話機１では、スピーカ装着ケース３が、表示部筐体１ａと同一平面上のまま、ヒンジ４を中心として、図４（ｃ）の矢印方向に回動する。その他の構成は実施の形態２と同様であるので説明を省略する。
【００２０】
以上のように、この実施の形態４によれば、ＴＶ電話等で相手側とハンズフリーで会話したい場合は、スピーカ装着ケース３を表示部筐体１ａから外側へせり出させることで、携帯電話機の操作者に対して正面に音を放射することが可能となる。従って、音声や音楽がこもらずに明快に大きく聴こえると共に、ステレオスピーカの場合はスピーカ間隔を広く取れるので、十分な音の広がりが得られる効果がある。
【００２１】
実施形態１〜４において、一対のスピーカ装着ケース３、即ちステレオスピーカを備える携帯電話機１について説明したが、スピーカ装着ケース３が１つである構成であってもよい。また、スピーカ装着ケース３及びスピーカ５の形状が、円形、楕円形または任意の多角形等であってもよい。更に、表示部筐体１ａまたは操作部筐体１ｂ背面の、スピーカ装着ケース３を収納するための収納部を省略した構造としてもよい。
【００２２】
実施の形態１〜４に示した構造は、折り畳み式の携帯電話機に限らず、一方の筐体に対して他方の筐体がスライドするスライド式携帯電話機、或いは操作部と表示部が１つの筐体に配置された一体型の携帯電話機にも適用することが出来る。例えば、スライド式の携帯電話機の操作部筐体の背面に、実施の形態１または実施の形態３に示したようなスピーカ装着ケース３を収納する構造としてもよい。
【図面の簡単な説明】
【００２３】
【図１】本発明の実施の形態１に係る携帯電話機を示す図である。
【図２】本発明の実施の形態２に係る携帯電話機を示す図である。
【図３】本発明の実施の形態３に係る携帯電話機を示す図である。
【図４】本発明の実施の形態４に係る携帯電話機を示す図である。
【符号の説明】
【００２４】
１  携帯電話機、１ａ  表示部筐体、１ｂ  操作部筐体、２  ヒンジ、３  スピーカ装着ケース、４  ヒンジ、５  スピーカ、６  放音孔。
【図１】
2006254348.tif 000003
【図２】
2006254348.tif 000004
【図３】
2006254348.tif 000005
【図４】
2006254348.tif 000006